(57)【要約】【課題】建屋の昇降路内にエレベータを据え付ける際に、そのエレベータ用品を昇降路の天井部の至近距離の位置にまで揚重することができる揚重装置及び揚重方法を提供する。【解決手段】滑車１８を備える滑車装置１０を、建屋の昇降路１の天井部１ａに設けられたほぼＵ字状の掛け部材６に、前記滑車１８がその掛け部材６の下端部より上方の位置に配置するように取り付け、この滑車装置１０の滑車１８に揚重用線条材としての玉掛けワイヤ２７を巻き掛け、この玉掛けワイヤ２７の一端部を揚重対象物としての巻上機３１に連結し、他端部を揚重機３０に連結し、かつ揚重機３０の吊元側のワイヤ３２を昇降路１の側壁面の吊元部３３に連結し、この状態で揚重機３０を操作して玉掛けワイヤ２７を引張って巻上機３１を昇降路１の最上部に位置にまで吊り上げる。【選択図】    図１
2007210744.tif 000002
【特許請求の範囲】
【請求項１】
ほぼＵ字状の掛け部材を備える建屋の昇降路の天井部と、
滑車を備え、その滑車が前記掛け部材の下端部より上方の位置に配置するように前記掛け部材に取り付けられる滑車装置と、
前記滑車装置の滑車に巻き掛けられる揚重用線条材と、
前記揚重用線条材の一端部に連結される揚重対象物としてのエレベータ用品と、
前記揚重用線条材の他端部に連結され、該揚重用線条材を引張ることにより前記エレベータ用品を吊り上げる揚重機と、
を具備することを特徴とするエレベータ用品の揚重装置。
【請求項２】
滑車を備える滑車装置を、建屋の昇降路の天井部に設けられたほぼＵ字状の掛け部材に、前記滑車がその掛け部材の下端部より上方の位置に配置するように取り付け、この滑車装置の滑車に揚重用線条材を巻き掛け、この揚重用線条材の一端部に揚重対象物としてのエレベータ用品を、他端部に揚重機をそれぞれ連結し、その揚重機を操作して前記揚重用線条材を引張って前記エレベータ用品を吊り上げることを特徴とするエレベータ用品の揚重方法。
【請求項３】
前記滑車装置は、前記天井部の掛け部材の内側に挿入される本体と、前記掛け部材に引っ掛けられ、ナットによる締め付けで前記本体を前記天井部に圧着させることが可能なフック部材を備えることを特徴とする請求項１または２に記載のエレベータ用品の揚重装置または揚重方法。
【請求項４】
前記滑車装置は、前記天井部の掛け部材の垂直部にＵボルトを介して取り付けられ、そのＵボルトを緩めることにより前記掛け部材の垂直部の軸回り方向に回動することが可能となっていることを特徴とする請求項１または２に記載のエレベータ用品の揚重装置または揚重方法。
【請求項５】
前記滑車装置は、前記天井部の掛け部材の内側に挿入される本体と、前記本体にその下側から螺挿されたボルトとを備え、前記ボルトを締め付け、その先端を前記天井部に押し当てることで前記本体を前記掛け部材の下端部に押圧して該掛け部材に固定することが可能となっていることを特徴とする請求項１または２に記載のエレベータ用品の揚重装置または揚重方法。
【請求項６】
前記天井部には一対の掛け部材が設けられ、前記滑車装置はその一対の掛け部材に跨って取り付けられていることを特徴とする請求項１または２に記載のエレベータ用品の揚重装置または揚重方法。
【発明の詳細な説明】
【技術分野】
【０００１】
本発明は、建屋の昇降路内にエレベータを据え付けるに当ってそのエレベータ用品を昇降路内で揚重するエレベータ用品の揚重装置及び揚重方法に関する。
【背景技術】
【０００２】
建屋の昇降路内にエレベータを据え付ける際には、そのエレベータの各種の用品を揚重装置を用いて揚重する作業が伴う。例えば、マシンレスエレベータの場合に、その巻上機を揚重してガイドレール上部のマシンヘッドに据え付ける。
【０００３】
このような揚重の作業に当っては、特開２００４−３３１３４８（特許文献１）に見られるように、昇降路の天井部に設けられている掛け部材に揚重機を掛け止めて吊下げ、その揚重機から垂下されたロープで揚重対象物を揚重する方法や、特開２００３−６３７７７（特許文献２）に見られるように、昇降路の天井部の掛け部材に滑車を備える天秤装置を掛け止めて吊下げ、その天秤の一端部にワイヤを介して揚重対象物を支持し、天秤の他端部を引き下げることで揚重対象物を揚重する方法が知られている。
【発明の開示】
【発明が解決しようとする課題】
【０００４】
ところで、エレベータ用品のうちには、昇降路内のより高い位置にまで揚重することが必要なものがある。例えばマシンレスエレベータの場合の巻上機であり、この場合の巻上機は昇降路内の最も高い最上部にまで揚重して据え付けることが必要である。
【０００５】
しかしながら、従来の揚重方法では、昇降路の天井部の掛け部材に揚重機を掛け止めて吊下げ、その揚重機から垂下したロープで揚重対象物を揚重する形態であるため、昇降路の天井部の至近距離の位置にまで揚重対象物を揚重することができないという課題がある。
【０００６】
本発明はこのような点に着目してなされたもので、その目的とするところは、建屋の昇降路内にエレベータを据え付ける際に、そのエレベータ用品を昇降路の天井部の至近距離の位置にまで揚重することができるエレベータ用品の揚重装置及び揚重方法を提供することにある。
【課題を解決するための手段】
【０００７】
請求項１の発明は、ほぼＵ字状の掛け部材を備える建屋の昇降路の天井部と、滑車を備え、その滑車が前記掛け部材の下端部より上方の位置に配置するように前記掛け部材に取り付けられる滑車装置と、前記滑車装置の滑車に巻き掛けられる揚重用線条材と、前記揚重用線条材の一端部に連結される揚重対象物としてのエレベータ用品と、前記揚重用線条材の他端部に連結され、該揚重用線条材を引張ることにより前記エレベータ用品を吊り上げる揚重機とを具備することを特徴としている。
【０００８】
請求項２の発明は、滑車を備える滑車装置を、建屋の昇降路の天井部に設けられたほぼＵ字状の掛け部材に、前記滑車がその掛け部材の下端部より上方の位置に配置するように取り付け、この滑車装置の滑車に揚重用線条材を巻き掛け、この揚重用線条材の一端部に揚重対象物としてのエレベータ用品を、他端部に揚重機をそれぞれ連結し、その揚重機を操作して前記揚重用線条材を引張って前記エレベータ用品を吊り上げることを特徴としている。
【０００９】
請求項３の発明は、前記滑車装置が、前記天井部の掛け部材の内側に挿入される本体と、前記掛け部材に引っ掛けられ、ナットによる締め付けで前記本体を前記天井部に圧着させることが可能なフック部材を備えることを特徴としている。
【００１０】
請求項４の発明は、前記滑車装置が、前記天井部の掛け部材の垂直部にＵボルトを介して取り付けられ、そのＵボルトを緩めることにより前記掛け部材の垂直部の軸回り方向に回動することが可能となっていることを特徴としている。
【００１１】
請求項５の発明は、前記滑車装置が、前記天井部の掛け部材の内側に挿入される本体と、前記本体にその下側から螺挿されたボルトとを備え、前記ボルトを締め付け、その先端を前記天井部に押し当てることで前記本体を前記掛け部材の下端部に押圧して該掛け部材に固定することが可能となっていることを特徴としている。
【００１２】
請求項６の発明は、前記天井部には一対の掛け部材が設けられ、前記滑車装置はその一対の掛け部材に跨って取り付けられていることを特徴としている。
【発明の効果】
【００１３】
本発明によれば、建屋の昇降路内にエレベータを据え付ける際に、そのエレベータ用品を昇降路の天井部の至近距離の位置にまで揚重することができる。
【発明を実施するための最良の形態】
【００１４】
以下、本発明の実施の形態について図面を参照して説明する。
【００１５】
図１には第１の実施形態を示してあり、この実施形態は建屋に設けられた昇降路１内の最上部にマシンレスエレベータの巻上機３１を据え付ける場合の例である。昇降路１内にはエレベータの乗りかごあるいは釣合い重りの昇降をガイドするガイドレール２，３が互いに対向して設けられている。これらガイドレール２，３はそれぞれブラケット４を介して昇降路１の側壁面に固定されている。そして一方のガイドレール２の上端部には、マシンレスエレベータの巻上機３１を据え付けるためのマシンベット５が水平に取り付けられている。
【００１６】
また、昇降路１の天井部１ａには、それぞれ金属棒材をＵ字状に曲成してなる一対の掛け部材６，７が一定の間隔をあけて取り付けられている。そして一方の掛け部材６の内側に滑車装置１０が設けられている。
【００１７】
滑車装置１０の構造を図２及び図３に示してある。図２は滑車装置１０の側面図で、図３は滑車装置１０の平面図である。滑車装置１０は本体１１を備え、この本体１１は互いに対向する一対の側板１２を鋼材１３で一体的に結合してなる。本体１１は水平部１１ａと垂直部１１ｂとを有するほぼＬ形状をなし、その水平部１１ａと垂直部１１ｂとが交差する部分の両側外面には鋼材１４が取り付けられ、その一方の鋼材１４の外面から前記両側板１２を貫通して他方の鋼材１４の外面側に達する滑車ボルト１５が設けられ、この滑車ボルト１５を介して両側板１２間に一対の滑車１８が並列するようにそれぞれ回転自在に支持されている。なお、１６は前記滑車ボルト１５の先端部に螺着されたナットである。
【００１８】
本体１１における垂直部１１ｂの下部にはフック部材２０が設けられている。このフック部材２０は図４に示すように両側板１２間に設けられた断面コ字状の鋼材２１を介してその両側板１２間に配置するように支持されている。断面コ字状の鋼材２１は支持軸２２を介して両側板１２に対して回動自在に取り付けられ、フック部材２０の下端部は鋼材２１に摺動自在に貫挿され、その下側にナット２３が螺着され、フック部材２０の全体が鋼材２１と一体的に支持軸２２を中心としてその軸回り方向に回動することが可能となっている。
【００１９】
滑車装置１０を掛け部材６に取り付ける手順について説明すると、まず図２に示すように、本体１１の水平部１１ａをＵ字状の掛け部材６の内側に挿入し、この状態で本体１１の垂直部１１ｂに設けられているフック部材２０を回動してその先端部を掛け部材６の下端部に掛け止めるとともに、ナット２３を締め付け、フック部材２０を軸方向に移動させて本体１１の水平部１１ａの上面を昇降路１の天井部１ａに押し付けて圧着させる。これにより滑車装置１０の全体が昇降路１の天井部１ａに強固にかつ安定して固定されている。
【００２０】
このように、昇降路１の天井部１ａに設けられた掛け部材６の内側に滑車装置１０を取り付けた後には、この滑車装置１０の滑車１８に図１に示すように揚重用線条材としての玉掛けワイヤ２７を巻き掛ける。そしてこの玉掛けワイヤ２７の一端部をエレベータ用品としての巻上機３１に連結し、他端部を揚重機３０に連結する。揚重機３０の吊元側のワイヤ３２は、昇降路１の側壁面に設けられている吊元部３３に掛け止める。
【００２１】
この状態で、揚重機３０を操作して玉掛けワイヤ２７を揚重機３０側に引き込み、巻上機３１を昇降路１の上部に向けて吊り上げる。そして巻上機３１がマシンベット５より上方の位置にまで達した際に揚重機３０の操作を停止し、マシンベット５の上に巻上機３１を乗せる。巻上機３１を横にずらすことが必要なときには、巻上機３１をマシンベット５に沿って移動させる。巻上機３１が所定の位置に配置された後には、ボルトやクリップなどの締結部品を用いて巻上機３１をマシンベット５に据え付けて固定し、巻上機３１から玉掛けワイヤ２７を取り外す。
【００２２】
このような揚重形態においては、巻上機３１の吊上頂部となる滑車１８が昇降路１の天井部１ａに設けられている掛け部材６の内側に配置されて天井部１ａの間近にあり、このため巻上機３１を天井部１ａの至近距離まで吊り上げて巻上機３１を天井部１ａの間近の最上部に据え付けることができる。なお、巻上機３１の場合のほか、他のエレベータ用品についても同様に吊り上げることができる。
【００２３】
図５及び図６にはこの発明の第２の実施形態に滑車装置１０の構造を示してある。図５はその滑車装置１０の側面図で、図６は同じく平面図である。この滑車装置１０は、ベース３６を備え、このベース３６の上に３つの支持板３７，３８，３９がそれぞれ互いに離間して対向するようにボルト４０を介して取り付けられている。支持板３７，３８間には滑車ボルト４１が架設され、この滑車ボルト４１を介して支持板３７，３８間において一対の滑車４２がそれぞれ回転自在に支持されている。
【００２４】
支持板３８，３９の一方の端面側にはその支持板３８，３９の双方に跨って配置するように当板４４が設けられている。この当板４４はそれぞれボルト４５を介して支持板３８，３９の端面に着脱可能に取り付けられている。そしてこの当板４４の内側にＵボルト４７を取り付けることができるようになっている。
【００２５】
この滑車装置１０は昇降路１の天井部１ａの掛け部材６に次のような手順で取り付ける。まず、当板４４を取り外した状態で、滑車装置１０の側方側からＵ字状をなす掛け部材６の片側の垂直部を支持板３８，３９間の空間内に介入させる。次に、前記支持板３８，３９の端面に当板４４を突き当て、この当板４４をボルト４５で支持板３８，３９の端面に締結して固定する。次に、当板４４の内側から前記掛け部材６の垂直部を抱え込むようにＵボルト４７を挿入し、その挿入側の端部にナット４８を螺着し、これらナット４８を締め付け、Ｕボルト４７と当板４４とで掛け部材６の垂直部を挟み込んで締め付ける。これにより、滑車装置１０が掛け部材６の垂直部に水平に取り付けられ、滑車４２が掛け部材６の下端部より上方に位置に配置される。
【００２６】
このように掛け部材６に滑車装置１０を取り付けた後には、前述の場合と同様に、滑車装置１０の滑車４２に揚重用線条材としての玉掛けワイヤ２７を巻き掛け、その玉掛けワイヤ２７の一端部を揚重対象物であるエレベータ用品に連結し、他端部を揚重機に連結する。そして揚重機を操作してエレベータ用品を吊り上げる。
【００２７】
この場合においても、エレベータ用品の吊上頂部となる滑車４２が昇降路１の天井部１ａに設けられている掛け部材６の下端部より上方に配置されているから、そのエレベータ用品を天井部１ａの間近となるより高い位置にまで吊り上げて天井部１ａの間近の最上部の位置に据え付けることができる。
【００２８】
そしてこの場合には、滑車装置１０が掛け部材６の垂直部にＵボルト４７を介して取り付けられているため、そのＵボルト４７を緩めることにより滑車装置１０の全体をその掛け部材６の垂直部の軸回り方向に回動してその向きを変えることができる。したがって、エレベータ用品を吊り上げる揚重方向が変わるような場合であってもそれに容易に対応することができる。
【００２９】
図７乃至図９にはこの発明の第３の実施形態に係る滑車装置１０の構造を示してある。図７はその滑車装置１０の平面図、図８は同じく正面図、図９は同じく側面図である。
【００３０】
この滑車装置１０は一対の側板５０を有する本体５１を備えている。各側板５０は、それぞれ水平部５０ａと垂直部５０ｂとを有する断面Ｌ字状に形成され、その各側板５０の水平部５０ａがそれぞれ外側を向き、垂直部５０ｂが互いに対向する状態でその両垂直部５０ｂ間に２本の滑車ボルト５２が架設され、これら滑車ボルト５２で両側板５０が互いに連結されて一体的な本体５１として組み立てられている。そして前記各滑車ボルト５２にそれぞれ滑車５３が回転自在に設けられている。
【００３１】
各側板５０における水平部５０ａの先端縁の中間部及び垂直部５０ｂの下端縁の中間部にはそれぞれ切欠部５４，５５が形成されている。また、また各側板５０における水平部５０ａの両端寄りの部分にはその下面側から押しボルト５６が垂直に螺挿され、これら押しボルト５６にはそれぞれ緩み止め用のナット５７が螺着されている。
【００３２】
この滑車装置１０は昇降路１の天井部１ａの掛け部材６に次のような手順で取り付ける。まず、本体５１をＵ字状をなす掛け部材６の内側に挿入する。この際、各側板５０がやや傾く姿勢で本体５１を掛け部材６の内側に挿入する。そして挿入後に、本体５１を正立させ、切欠部５４を掛け部材６の垂直部に嵌合させ、切欠部５５を掛け部材６の下端部に嵌合させる。次に、各押しボルト５６を工具を用いて回し、その先端を昇降路１の天井部１ａに圧接させる。この後、各ナット５７を締め付けて各押しボルト５６の緩み止めを図る。
【００３３】
これにより滑車装置１０の全体が昇降路１の天井部１ａと掛け部材６との間に強固に安定して固定される。そして、このように掛け部材６に滑車装置１０を取り付けた後に、前述の場合と同様に、滑車装置１０の滑車５３に揚重用線条材としての玉掛けワイヤ２７を巻き掛け、その玉掛けワイヤ２７の一端部を揚重対象物であるエレベータ用品に連結し、他端部を揚重機に連結し、その揚重機を操作してエレベータ用品を吊り上げる。
【００３４】
この場合においても、エレベータ用品の吊上頂部となる滑車５３が昇降路１の天井部１ａに設けられている掛け部材６の下端部より上方に配置されているから、そのエレベータ用品を天井部１ａの間近となるより高い位置にまで吊り上げて天井部１ａの間近の最上部の位置に据え付けることができる。
【００３５】
図１０及び図１１にはこの発明の第４の実施形態に係る滑車装置１０を示してある。図１０はその滑車装置１０の平面図、図１１は同じく正面図、図は同じく側面図である。
【００３６】
この滑車装置１０は昇降路１の天井部１ａに設けられた一対の掛け部材６，７の双方に跨って取り付けられるもので、その一対の掛け部材６，７の離間ピッチよりも大きい長さのベースプレート６０を備えている。
【００３７】
ベースプレート６０の両端部の片面にはそれぞれ支持板６１が溶接などにより取り付けられ、これら支持板６１とベースプレート６０の両端部との間にそれぞれ滑車ボルト６２が架設され、これら滑車ボルト６２にそれぞれ滑車６３が回転自在に設けられている。また、ベースプレート６０には前記一対の掛け部材６，７の離間ピッチと同じピッチの位置にそれぞれナット６５での締め付けが可能なＵボルト６６が設けられている。
【００３８】
この滑車装置１０は昇降路１の天井部１ａの掛け部材６，７に次のような手順で取り付ける。まず、ベースプレート６０から各Ｕボルト６６を取り外した状態でそのベースプレート６０を一対の掛け部材６，７の垂直部に突き当てる。そしてベースプレート６０の一方の片面側から各Ｕボルト６６を前記掛け部材６，７の垂直部を抱え込むようにしてベースプレート６０に挿入する。そして各Ｕボルト６６の挿入先端部にナット６５を螺着し、これらナット６５を締め付ける。これにより掛け部材６，７の垂直部がＵボルト６６とベースプレート６０とで挟み付けられ、滑車装置１０の全体がその掛け部材６，７に安定して固定される。
【００３９】
そして、このように掛け部材６，７に滑車装置１０を取り付けた後に、前述の場合と同様に、滑車装置１０の滑車６３に揚重用線条材としての玉掛けワイヤ２７を巻き掛け、その玉掛けワイヤ２７の一端部を揚重対象物であるエレベータ用品に連結し、他端部を揚重機に連結し、その揚重機を操作してエレベータ用品を吊り上げる。
【００４０】
この場合においても、エレベータ用品の吊上頂部となる滑車６３が昇降路１の天井部１ａに設けられている掛け部材６の下端部より上方に配置されているから、そのエレベータ用品を天井部１ａの間近となるより高い位置にまで吊り上げて天井部１ａの間近の最上部の位置に据え付けることができる。
【００４１】
以上のような揚重方法を実施する際の全体の作業工程について説明すると、次の通りである。図１１にはその作業工程を順に示してある。まず、建屋の昇降路内に足場用機材を搬入する（Ｓ１）。次に、その足場用機材を用いて昇降路内の所要の各レベルの位置に足場を組み立てる（Ｓ２）。次に、その足場に足を掛けて昇降路の天井部の掛け部材に滑車装置を取り付ける（Ｓ３）。
【００４２】
次に、昇降路内に巻上機などのエレベータ用品や揚重機、揚重用線条材などの機材を搬入する（Ｓ４）。次に、前記揚重用線条材を前記滑車装置の滑車に巻き掛ける（Ｓ５）。次に、揚重用線条材の一端部にエレベータ用品としての巻上機を連結し、他端部に揚重機を連結し、その揚重機の吊元ワイヤを昇降路の側壁面の吊元部に接続する（Ｓ６）。次に、前記揚重機を操作して前記巻上機を吊り上げ、昇降路の最上部の位置に配置させる（Ｓ７）。次に、その巻上機をガイドレールの最上部のマシンベットの上に乗せ、ボルトなどの締結部品を用いてその巻上機をマシンベットに締結して固定する（Ｓ８）。さらに、必要なエレベータ用品を前記揚重機で揚重して所定の位置に据え付け、この後、前記滑車装置を昇降路の天井部の掛け部材から取り外す（Ｓ９）。以上により施工が完了する。
【００４３】
なお、マシンレスエレベータの場合の巻上機は、ガイドレールの最上部にマシンベッドを組み立ててそのマシンベットの上に据え付ける場合に限らず、ボルトやクリップなどの締結部品を用いてガイドレールの最上部に直接据え付けるような場合であってもよい。
【図面の簡単な説明】
【００４４】
【図１】本発明の第１の実施形態に係るマシンレスエレベータの巻上機の揚重状態を示す説明図。
【図２】その第１の実施形態に係る滑車装置の側面図。
【図３】その第１の実施形態に係る滑車装置の平面図。
【図４】図２中のＡ−Ａ線に沿う断面図。
【図５】本発明の第２の実施形態に係る滑車装置の側面図。
【図６】本発明の第２の実施形態に係る滑車装置の平面図。
【図７】本発明の第３の実施形態に係る滑車装置の平面図。
【図８】本発明の第３の実施形態に係る滑車装置の正面図。
【図９】本発明の第３の実施形態に係る滑車装置の側面図。
【図１０】本発明の第４の実施形態に係る滑車装置の平面図。
【図１１】本発明の第４の実施形態に係る滑車装置の側面図。
【図１２】本発明を実施する際の作業工程の一例を示す工程図。
【符号の説明】
【００４５】
１…昇降路
１ａ…天井部
２．３…ガイドレール
４…レールブラケット
５…マシンベット
６．７…掛け部材
１０…滑車装置
１１…本体
１１ａ…水平部
１１ｂ…垂直部
１２…側板
１８…滑車
２０…フック部材
２２…支持軸
２３…ナット
２７…玉掛けワイヤ
３０…揚重機
３１…巻上機
３６…ベース
３７．３８．３９…支持板
４２…滑車
４４…当板
４７…Ｕボルト
５０…側板
５１…本体
５３…滑車
５４．５５…切欠部
６０…ベースプレート
６３…滑車
６６…Ｕボルト
【図１】
2007210744.tif 000003
【図２】
2007210744.tif 000004
【図３】
2007210744.tif 000005
【図４】
2007210744.tif 000006
【図５】
2007210744.tif 000007
【図６】
2007210744.tif 000008
【図７】
2007210744.tif 000009
【図８】
2007210744.tif 000010
【図９】
2007210744.tif 000011
【図１０】
2007210744.tif 000012
【図１１】
2007210744.tif 000013
【図１２】
2007210744.tif 000014